(57)【要約】【課題】書類やファイルの任意の位置に、何度も付けたりはがしたりすることのできる見出しを提供する。【解決手段】アクリル発泡スポンジの吸着力によって書類やファイルの任意の位置に本発明の見出しを固定する。アクリル発泡スポンジは表面の気泡が吸盤の役割を果たし、接する相手に適度な強さで何度でも吸着する。【選択図】      図３
2004322623.tif 000002
【特許請求の範囲】
【請求項１】
小片の一方の面にアクリル発泡スポンジを具備することを特徴とする見出し。
【発明の詳細な説明】
【０００１】
【発明の属する技術分野】
本発明は、小片の一方の面にアクリル発泡スポンジを具備したものからなる、書類やファイルの任意の位置に何度も付けたりはがしたりすることができる見出しに関する。
【０００２】
【従来の技術】
従来の見出しは、書類やファイルの端部に紙やプラスチックフィルムの小片を粘着剤や接着剤で貼り付け、それを見出しとするものが知られている。
【０００３】
また、書類やファイルと同じ大きさのシートの端部を突出させ、それを書類やファイルの間にはさみ、突出した部分を見出しとするものが知られている。
【０００４】
【発明が解決しようとする課題】
見出しを付けた書類やファイルが増えてくると、見出しが重なってしまうことがあり、そのため見出しが見にくくなって不便なことがある。従来の、紙やプラスチックフィルムの小片からなる見出しを、書類やファイルの端部に粘着剤や接着剤で貼り付ける方法では、見出しの位置を変えたり見出しを取りはずしたりしたいときは、粘着剤や接着剤がはがれにくいため、切り取ってしまう必要があり、その見出しを再利用することができないという問題があった。
【０００５】
また、従来の見出しを切り取ってしまう場合、書類やファイルに見出しの貼りついた部分が残ってしまい、見栄えが悪いという問題があった。
【０００６】
また、書類やファイルと同じ大きさのシートの端部を突出させ、それを書類やファイルの間にはさみ、突出した部分を見出しとする方法は、見出しとして機能する部分に対して、全体の大きさが非常に大きくなってしまうため、材料と費用に無駄があった。
【０００７】
【課題を解決するための手段】
上記の課題を解決するために、本発明の見出しは、アクリル発泡スポンジが持つ吸着性能を利用して小片を書類やファイルに取り付けることを特徴とする。本発明の見出しは何度も付けたりはがしたりすることができるので、見出しの移動が簡単にできる。アクリル発泡スポンジは、表面が汚れるまで何度でも対象物に吸着することができ、さらに表面が汚れて吸着力が無くなった後も布等で汚れを拭き取ってやることで吸着力が回復し、繰り返し使用することができるので経済的である。
【０００８】
また、本発明の見出しは粘着剤や接着剤による固定ではないため、対象物を汚すことが無い。
【０００９】
また、本発明の見出しの、書類やファイルに吸着する部分は、小さな面積で済むため、見出しとして機能する部分以外の面積は少なくて済む。
【００１０】
【発明の実施の形態】
発明の実施の形態を、図面を参照して説明する。
図１は本発明の一実施例の平面図であり、１の小片を２のアクリル発泡スポンジによって書類やファイルの任意の辺に吸着させて取り付け、見出しとして利用する。
【００１１】
２のアクリル発泡スポンジは、１の小片の一方の面に、接着剤や粘着剤あるいは融着などの方法で貼り付ける。アクリル発泡スポンジを貼り付ける部分は、図１にように、小片の大体半分ぐらいの面積が適当である。このアクリル発泡スポンジの表面を、書類やファイルの辺の任意の場所に吸着させ、突出した部分を見出しとして利用する。この一実施例を表したものが図３である。
【００１２】
アクリル発泡スポンジの面積については、小片の半分程度の面積があれば見出しを保持する吸着力を有するが、本発明の見出しをより強く書類やファイルに吸着させたい場合は、小片の中のアクリル発泡スポンジを貼る部分の面積を大きくするとよい。
【００１３】
アクリル発泡スポンジの厚さは、約０．５ミリメートルから３ミリメートル程度が適当である。
【００１４】
また、小片の材質は、紙、不織布、プラスチック、金属などが適当である。
【００１５】
図２は図１の側面図である。２のアクリル発泡スポンジを１の小片に接着剤３で貼り付けている。このアクリル発泡スポンジの表面を、書類やファイルに吸着させて取り付ける。
【００１６】
図３は本発明の見出しの一実施例を使用しているところを示している。４のファイルの一辺に、１の小片を２のアクリル発泡スポンジの吸着力によって取り付けている。この見出しは何度も付けたりはがしたりすることができるため、書類やファイルに対して見出しを取り付ける位置を自由に変えることができるので、書類やファイルを整理する際には大変便利である。
【００１７】
また、本発明の見出しは、ビデオテープやＣＤ、ＤＶＤ、ＭＤなどの電子記録媒体や、箱、包装した製品、封筒などにも使用することができる。
【００１８】
また、プラスチック板やガラス板、あるいは木材などを加工する工場では、棚などにそれらの材料を何種類も在庫していることが通常であるが、本発明の見出しをこれらの在庫している板の端部に取り付けて区別をつければ、板の種類などを簡単に識別することができるので、大変便利である。
【００１９】
アクリル発泡スポンジは、そのスポンジ自体が接する相手に吸着する性能を有する。このアクリル発泡スポンジが接する相手に吸着するしくみは、スポンジの表面部分の気泡が吸盤の役割を果たし、接する相手に吸い付くためである。
【００２０】
このスポンジの気泡は大変軟らかいため、これをはがす際に相手を傷つけたり汚したりせずに、簡単にはがすことができ、また、付けたりはがしたりをアクリル発泡スポンジの表面が汚れるまで何度でも行うことができる。
【００２１】
この吸盤の役割を果たす気泡は、直径０．１ミリメートル程度若しくはそれ以下の非常に微細なもので、アクリル発泡スポンジの表面全面に付いている。この表面には粘着剤が付いていないため、吸着した相手を汚すことなく、しかも適度な強さで吸着する。
【００２２】
また、アクリル発泡スポンジが対象物に吸着する原理は、粘着剤によるものでなく、表面の気泡が吸盤のように吸い付くことであるため、アクリル発泡スポンジの表面が汚れて吸着力が無くなっても、布等で汚れを拭き取ることによって回復することができる。
【００２３】
【発明の効果】
本発明は、以上説明したようなものであるから、以下に記載されるような効果を奏する。
【００２４】
書類やファイルの任意の場所に小片を取り付けることで見出しとして使用することができ、取り外しも簡単に行うことができる。そして、何度も付けたりはずしたりすることができるので、書類やファイルを整理する際に大変便利である。さらに、何度も使えて面積も小さいので経済的である。
【００２５】
【図面の簡単な説明】
【図１】本発明の一実施例を示す平面図である。
【図２】図１の側面図である。
【図３】本発明の一実施例を使用しているところを示す平面図である。
【図４】図３の断面図である。
【符号の説明】
１  小片
２  アクリル発泡スポンジ
３  接着剤
４  ファイル
【図１】
2004322623.tif 000003
【図２】
2004322623.tif 000004
【図３】
2004322623.tif 000005
【図４】
2004322623.tif 000006